(57)【要約】      （修正有）【課題】年賀状の特性を踏まえ、注文者にとって利便性の高い態様で年賀状を注文できるようにした年賀状セレクト申込書を提供する。【解決手段】年賀状セレクト申込書は、干支を含む年賀に関する情報が記載された年賀状の各種デザインを、デザイン番号と共に表示したデザインシートと、複数のデザイン番号及び各デザイン番号に対応する注文枚数を記入する欄が形成されたお客様ご記入欄Ｒ３、及び、注文を識別する注文識別情報を記入するお問い合わせ番号欄Ｒ１を有する申込シートＳ５を備えており、申込シートＳ５のお客様ご記入欄Ｒ３への記入により、各種デザインの年賀状を、必要枚数だけ同時に注文できるように構成されている。【選択図】図６
0003187332.tif 000002
【実用新案登録請求の範囲】
【請求項１】
干支を含む年賀に関する情報が記載された年賀状の各種デザインを、デザイン番号と共に表示したデザインシートと、
複数のデザイン番号及び各デザイン番号に対応する注文枚数を記入する欄が形成されたお客様ご記入欄、及び、注文を識別する注文識別情報を記入するお問い合わせ番号欄を有する申込シートと、を備え、
前記申込シートの前記お客様ご記入欄への記入により、各種デザインの年賀状を、必要枚数だけ同時に注文できるように構成されていることを特徴とする年賀状セレクト申込書。
【請求項２】
前記申込シートにおいて、
デザイン番号と、デザイン番号に対応する注文枚数とは、同一の欄に対応づけて記入可能に構成されていることを特徴とする請求項１に記載の年賀状セレクト申込書。
【請求項３】
前記お客様ご記入欄には、注文枚数の合計を記入する合計ご注文枚数欄が形成されていることを特徴とする請求項１又は２に記載の年賀状セレクト申込書。
【請求項４】
前記申込シートは、
少なくとも、注文の受付日、注文品の受渡予定日、注文者の連絡先、及び、注文品の料金を記入するお店記入欄をさらに有することを特徴とする請求項１ないし３のいずれかに記載の年賀状セレクト申込書。
【請求項５】
前記お客様ご記入欄を形成する枠の色と、前記お店記入欄を形成する枠の色とが異なることを特徴とする請求項４に記載の年賀状セレクト申込書。
【請求項６】
前記申込シートには、少なくとも、前記注文識別情報を記入する欄が形成されたお客様商品引換券が、当該シートから切り取り可能な態様で表示されていることを特徴とする請求項１ないし５のいずれかに記載の年賀状セレクト申込書。
【請求項７】
前記デザインシートでは、デザインのコンセプトごとに、年賀状のデザインが表示されていることを特徴とする請求項１ないし６のいずれかに記載の年賀状セレクト申込書。
【請求項８】
前記お客様ご記入欄の記入例が記載された記入方法シートをさらに備えることを特徴とする請求項１ないし７のいずれかに記載の年賀状セレクト申込書。
【請求項９】
注文可能な年賀状の単価は同一であり、注文枚数と、注文枚数に応じた料金の一覧表が設けられていることを特徴とする請求項１ないし８のいずれかに記載の年賀状セレクト申込書。
【請求項１０】
干支を含む年賀に関する情報が記載された年賀状の各種デザインを、デザイン番号と共に表示したデザインシートと、
複数のデザイン番号及び各デザイン番号に対応する注文枚数を記入する欄が形成されたお客様ご記入欄、注文を識別する注文識別情報を記入するお問い合わせ番号欄、少なくとも、注文の受付日、注文品の受渡予定日、注文者の連絡先、及び、注文品の料金を記入するお店記入欄、及び、少なくとも、前記注文識別情報を記入する欄が形成され、切り取り可能な態様で設けられたお客様商品引換券、を有する申込シートと、
前記お客様ご記入欄の記入例が記載された記入方法シートと、
注文枚数と、注文枚数に応じた料金の一覧表と、を備え、
前記申込シートの前記お客様ご記入欄への記入により、各種デザインの年賀状を、必要枚数だけ同時に注文できるように構成され、
前記お客様ご記入欄を形成する枠の色と、前記お店記入欄を形成する枠の色とが異なっており、
前記お客様ご記入欄において、デザイン番号と、デザイン番号に対応する注文枚数とは、同一の欄に対応づけて記入可能であり、当該欄には、注文枚数の合計を記入する合計ご注文枚数欄が形成されており、
前記デザインシートでは、デザインのコンセプトごとに、年賀状のデザインが表示されている
ことを特徴とする年賀状セレクト申込書。
【請求項１１】
冊子として構成された年賀状セレクト申込書であって、
表表紙に表表紙シートが設けられ、裏表紙に申込シートが設けられ、見開いた場合の左右のページのそれぞれに、デザインシートが設けられ、
前記表表紙シートは、
年賀状を注文するための冊子であることを示す情報を含んで構成され、
前記デザインシートは、
干支を含む年賀に関する情報が記載された年賀状の各種デザインがデザイン番号と共に表示されると共に、ページごとにデザインのコンセプトが異なっており、
前記申込シートは、
複数のデザイン番号及び各デザイン番号に対応する注文枚数を記入する欄が形成されたお客様ご記入欄と、
注文を識別する注文識別情報を記入するお問い合わせ番号欄と、
少なくとも、注文の受付日、注文品の受渡予定日、注文者の連絡先、及び、注文品の料金を記入するお店記入欄と、
少なくとも、前記注文識別情報を記入する欄が形成され、切り取り可能な態様で設けられたお客様商品引換券と、を有し、
前記お客様ご記入欄を形成する枠の色と、前記お店記入欄を形成する枠の色とが異なっており、
前記お客様ご記入欄において、デザイン番号と、デザイン番号に対応する注文枚数とは、同一の欄に対応づけて記入可能であり、当該欄には、注文枚数の合計を記入する合計ご注文枚数欄が形成されており、
前記申込シートの前記お客様ご記入欄への記入により、各種デザインの年賀状を、必要枚数だけ同時に注文できるように構成されている
ことを特徴とする年賀状セレクト申込書。
【請求項１２】
冊子として構成された年賀状セレクト申込書であって、
表表紙に表表紙シートが設けられ、裏表紙に申込シートが設けられ、見開いた場合の左右のページのそれぞれに、デザインシートが設けられ、前記デザインシートと、前記申込シートとの間のページに、記入方法シート、及び、情報提供シートが設けられ、
前記表表紙シートは、
年賀状を注文するための冊子であることを示す情報を含んで構成され、
前記デザインシートは、
干支を含む年賀に関する情報が記載された年賀状の各種デザインがデザイン番号と共に表示されると共に、ページごとにデザインのコンセプトが異なっており、
前記申込シートは、
複数のデザイン番号及び各デザイン番号に対応する注文枚数を記入する欄が形成されたお客様ご記入欄と、
注文を識別する注文識別情報を記入するお問い合わせ番号欄と、
少なくとも、注文の受付日、注文品の受渡予定日、注文者の連絡先、及び、注文品の料金を記入するお店記入欄と、
少なくとも、前記注文識別情報を記入する欄が形成され、切り取り可能な態様で設けられたお客様商品引換券と、を有し、
前記お客様ご記入欄を形成する枠の色と、前記お店記入欄を形成する枠の色とが異なっており、
前記お客様ご記入欄において、デザイン番号と、デザイン番号に対応する注文枚数とは、同一の欄に対応づけて記入可能であり、当該欄には、注文枚数の合計を記入する合計ご注文枚数欄が形成されており、
前記申込シートの前記お客様ご記入欄への記入により、各種デザインの年賀状を、必要枚数だけ同時に注文できるように構成されており、
前記記入方法シートは、
前記お客様ご記入欄の記入例が記載され、
前記情報提供シートは、
注文枚数と、注文枚数に応じた料金の一覧表が設けられている
ことを特徴とする年賀状セレクト申込書。
【考案の詳細な説明】
【技術分野】
【０００１】
本考案は、年賀状の注文用の年賀状セレクト申込書に関する。
【背景技術】
【０００２】
従来、年賀状の注文に関する技術が提案されている（例えば、特許文献１参照。）。
【先行技術文献】
【特許文献】
【０００３】
【特許文献１】特開２００５−１５３４０６号公報
【考案の概要】
【考案が解決しようとする課題】
【０００４】
ここで、年賀状の特性として、人が年賀状を送付する場合、自身との関係で様々な立場の人に同時期に送付するという特性がある。そして、このような年賀状の特性を踏まえて、年賀状を注文する注文者にとってできるだけ利便性の高い態様で年賀状を注文できるようにしたいとするニーズがある。
本考案は、上述した事情を鑑みてなされたものであり、年賀状の特性を踏まえ、注文者にとって利便性の高い態様で年賀状を注文できる年賀状セレクト申込書を提供することを目的とする。
【課題を解決するための手段】
【０００５】
上記目的を達成するために、本発明は、干支を含む年賀に関する情報が記載された年賀状の各種デザインを、デザイン番号と共に表示したデザインシートと、複数のデザイン番号及び各デザイン番号に対応する注文枚数を記入する欄が形成されたお客様ご記入欄、及び、注文を識別する注文識別情報を記入するお問い合わせ番号欄を有する申込シートと、を備え、前記申込シートの前記お客様ご記入欄への記入により、各種デザインの年賀状を、必要枚数だけ同時に注文できるように構成されていることを特徴とする。
【０００６】
また、本発明は、前記申込シートにおいて、デザイン番号と、デザイン番号に対応する注文枚数とは、同一の欄に対応づけて記入可能に構成されていることを特徴とする。
【０００７】
また、本発明は、前記お客様ご記入欄には、注文枚数の合計を記入する合計ご注文枚数欄が形成されていることを特徴とする。
【０００８】
また、本発明は、前記申込シートは、少なくとも、注文の受付日、注文品の受渡予定日、注文者の連絡先、及び、注文品の料金を記入するお店記入欄をさらに有することを特徴とする。
【０００９】
また、本発明は、前記お客様ご記入欄を形成する枠の色と、前記お店記入欄を形成する枠の色とが異なることを特徴とする。
【００１０】
また、本発明は、前記申込シートには、少なくとも、前記注文識別情報を記入する欄が形成されたお客様商品引換券が、当該シートから切り取り可能な態様で表示されていることを特徴とする。
【００１１】
また、本発明は、前記デザインシートでは、デザインのコンセプトごとに、年賀状のデザインが表示されていることを特徴とする。
【００１２】
また、本発明は、前記お客様ご記入欄の記入例が記載された記入方法シートをさらに備えることを特徴とする。
【００１３】
また、本発明は、注文可能な年賀状の単価は同一であり、注文枚数と、注文枚数に応じた料金の一覧表が設けられていることを特徴とする。
【００１４】
また、上記目的を達成するために、本発明は、干支を含む年賀に関する情報が記載された年賀状の各種デザインを、デザイン番号と共に表示したデザインシートと、複数のデザイン番号及び各デザイン番号に対応する注文枚数を記入する欄が形成されたお客様ご記入欄、注文を識別する注文識別情報を記入するお問い合わせ番号欄、少なくとも、注文の受付日、注文品の受渡予定日、注文者の連絡先、及び、注文品の料金を記入するお店記入欄、及び、少なくとも、前記注文識別情報を記入する欄が形成され、切り取り可能な態様で設けられたお客様商品引換券、を有する申込シートと、前記お客様ご記入欄の記入例が記載された記入方法シートと、注文枚数と、注文枚数に応じた料金の一覧表と、を備え、前記申込シートの前記お客様ご記入欄への記入により、各種デザインの年賀状を、必要枚数だけ同時に注文できるように構成され、前記お客様ご記入欄を形成する枠の色と、前記お店記入欄を形成する枠の色とが異なっており、前記お客様ご記入欄において、デザイン番号と、デザイン番号に対応する注文枚数とは、同一の欄に対応づけて記入可能であり、当該欄には、注文枚数の合計を記入する合計ご注文枚数欄が形成されており、前記デザインシートでは、デザインのコンセプトごとに、年賀状のデザインが表示されていることを特徴とする。
【００１５】
また、上記目的を達成するために、本発明は、冊子として構成された年賀状セレクト申込書であって、表表紙に表表紙シートが設けられ、裏表紙に申込シートが設けられ、見開いた場合の左右のページのそれぞれに、デザインシートが設けられ、前記表表紙シートは、年賀状を注文するための冊子であることを示す情報を含んで構成され、前記デザインシートは、干支を含む年賀に関する情報が記載された年賀状の各種デザインがデザイン番号と共に表示されると共に、ページごとにデザインのコンセプトが異なっており、前記申込シートは、複数のデザイン番号及び各デザイン番号に対応する注文枚数を記入する欄が形成されたお客様ご記入欄と、注文を識別する注文識別情報を記入するお問い合わせ番号欄と、少なくとも、注文の受付日、注文品の受渡予定日、注文者の連絡先、及び、注文品の料金を記入するお店記入欄と、少なくとも、前記注文識別情報を記入する欄が形成され、切り取り可能な態様で設けられたお客様商品引換券と、を有し、前記お客様ご記入欄を形成する枠の色と、前記お店記入欄を形成する枠の色とが異なっており、前記お客様ご記入欄において、デザイン番号と、デザイン番号に対応する注文枚数とは、同一の欄に対応づけて記入可能であり、当該欄には、注文枚数の合計を記入する合計ご注文枚数欄が形成されており、前記申込シートの前記お客様ご記入欄への記入により、各種デザインの年賀状を、必要枚数だけ同時に注文できるように構成されていることを特徴とする。
【００１６】
また、上記目的を達成するために、本発明は、冊子として構成された年賀状セレクト申込書であって、表表紙に表表紙シートが設けられ、裏表紙に申込シートが設けられ、見開いた場合の左右のページのそれぞれに、デザインシートが設けられ、前記デザインシートと、前記申込シートとの間のページに、記入方法シート、及び、情報提供シートが設けられ、前記表表紙シートは、年賀状を注文するための冊子であることを示す情報を含んで構成され、前記デザインシートは、干支を含む年賀に関する情報が記載された年賀状の各種デザインがデザイン番号と共に表示されると共に、ページごとにデザインのコンセプトが異なっており、前記申込シートは、複数のデザイン番号及び各デザイン番号に対応する注文枚数を記入する欄が形成されたお客様ご記入欄と、注文を識別する注文識別情報を記入するお問い合わせ番号欄と、少なくとも、注文の受付日、注文品の受渡予定日、注文者の連絡先、及び、注文品の料金を記入するお店記入欄と、少なくとも、前記注文識別情報を記入する欄が形成され、切り取り可能な態様で設けられたお客様商品引換券と、を有し、前記お客様ご記入欄を形成する枠の色と、前記お店記入欄を形成する枠の色とが異なっており、前記お客様ご記入欄において、デザイン番号と、デザイン番号に対応する注文枚数とは、同一の欄に対応づけて記入可能であり、当該欄には、注文枚数の合計を記入する合計ご注文枚数欄が形成されており、前記申込シートの前記お客様ご記入欄への記入により、各種デザインの年賀状を、必要枚数だけ同時に注文できるように構成されており、前記記入方法シートは、前記お客様ご記入欄の記入例が記載され、前記情報提供シートは、注文枚数と、注文枚数に応じた料金の一覧表が設けられていることを特徴とする。
【考案の効果】
【００１７】
注文者に対して、年賀状の特性を踏まえ、注文者にとって利便性の高い態様で年賀状を注文できる年賀状セレクト申込書を提供できる。
【図面の簡単な説明】
【００１８】
【図１】（Ａ）は、本実施形態に係る年賀状セレクト申込書の外観斜視図であり、（Ｂ）は、年賀状セレクト申込書の各ページの内容を示す一覧表である。
【図２】表表紙シートを示す図である。
【図３】デザインシートを示す図である。
【図４】記入方法シートを示す図である。
【図５】情報提供シートを示す図である。
【図６】申込シートを示す図である。
【考案を実施するための形態】
【００１９】
以下、図面を参照して本考案の実施形態について説明する。
図１（Ａ）は、本実施形態に係る年賀状セレクト申込書１の外観斜視図である。
年賀状セレクト申込書１は、年賀状を注文するための冊子であり、後に詳述するように、注文者が、様々な年賀状のデザインを参照した上で、複数のデザインの年賀状を所望の枚数分、簡易に、注文できる構成となっている。
なお、本実施形態において、「デザイン」とは、年賀状の裏面に印刷される画像のデザインを意味している。
図１（Ａ）に示すように、年賀状セレクト申込書１は、複数枚（本例では、４枚）のＡ３サイズの用紙が、２つ折りされて、中心部がホッチキスで綴じられて構成された冊子である。年賀状セレクト申込書１は、スーパーマーケットや、コンビニエンスストア等の店舗に、顧客が取得可能な態様で載置される。年賀状の注文を希望する注文者は、店舗に来店し、年賀状セレクト申込書１を取得した上で、当該申込書を利用して、所望のデザインの年賀状を、所望の枚数分、注文可能である。
【００２０】
図１（Ｂ）は、年賀状セレクト申込書１の各ページの内容を示す一覧表である。
本実施形態に係る年賀状セレクト申込書１は、４枚の用紙が２つ折りされ、中心部が綴じられて構成された冊子である。以下の説明では、表表紙を１ページ目として、各ページのページ数をカウントする。従って、冊子として構成された年賀状セレクト申込書１を見開いた場合に、左側に位置するページのページ数は偶数であり、右側に位置するページのページ数は奇数である。
図１（Ｂ）に示すように、１ページ目は、表表紙にあたり、表表紙シートＳ１により構成されている。２ページ目〜１３ページ目は、デザインシートＳ２により構成されている。１４ページ目は、記入方法シートＳ３により構成されている。１５ページ目は、情報提供シートＳ４により構成されている。１６ページ目は、裏表紙にあたり、申込シートＳ５により構成されている。以下、各シートについて詳述する。
【００２１】
図２は、１ページ目（表表紙）の表表紙シートＳ１を示す図である。
図２に示すように、表表紙シートＳ１の上部には、画像Ｇ１１が表示されている。
画像Ｇ１１は、この年賀状セレクト申込書１が年賀状を注文するための冊子であることを示す情報を含んで構成されている。また、画像Ｇ１１は、この年賀状セレクト申込書１を利用して、１０種類のデザインが選択できることを示す情報を含んで構成されている。また、画像Ｇ１１は、この年賀状セレクト申込書１が、西暦何年の年賀状の注文に対応するものであるかを示す情報を含んで構成されている。
表表紙シートＳ１の左部には、画像Ｇ１２が表示されている。
画像Ｇ１２は、この年賀状セレクト申込書１で注文可能な年賀状の値段を示す情報を含んで構成されている。また、画像Ｇ１２は、この年賀状セレクト申込書１で年賀状を注文する場合の最低必要枚数を示す情報を含んで構成されている。
表表紙シートＳ１の下部には、画像Ｇ１３が表示されている。
画像Ｇ１３は、この年賀状セレクト申込書１で注文可能な年賀状のデザインの例を示す画像を含んで構成されている。
以上のように、表表紙シートＳ１は、当該シートを視認することにより、年賀状セレクト申込書１が何を目的とする冊子であるのか、どういった態様で年賀状を注文できるのか、どういったデザインを選択できるのかを端的に把握できる構成となっている。
【００２２】
図３は、年賀状セレクト申込書１を、４ページ目、及び、５ページ目が表示されるように見開いた状態で、４ページ目に係るデザインシートＳ２（以下、「デザインシートＳ２１」と表現する。）、及び、５ページ目に係るデザインシートＳ２（以下、「デザインシートＳ２２」と表現する。）を示す図である。
デザインシートＳ２１は、エリアＡ２１と、エリアＡ２２とに分けられている。
エリアＡ２１には、同一のコンセプトの年賀状のデザインを示すデザイン画像ＤＧが、複数（デザインシートＳ２１に係るエリアＡ２１では９つ）、表示されている。上述したように、各デザイン画像ＤＧが示すデザインは、年賀状の裏面に印刷される画像のデザインである。また、各デザイン画像ＤＧは、年賀状の縦横比に準じた縦横比の長方形の画像である。
また、デザイン画像ＤＧが示す年賀状のデザインは、図３に示すように、対応する干支である午＜うま＞の画像や、西暦を示す情報、年賀の挨拶等、年賀に関する情報が記載されたものである。
エリアＡ２１において、デザイン画像ＤＧは、画像の上下方向と、デザインシートＳ２１の長手方向が一致するように表示される。より詳細には、デザイン画像ＤＧの長手方向と、当該画像の上下方向が一致する場合は（例えば、デザイン画像ＤＧ１）、デザイン画像ＤＧは、デザイン画像ＤＧの長手方向が、デザインシートＳ２１の長手方向に沿うように縦向きに表示される。一方、デザイン画像ＤＧの端手方向と、当該画像の上下方向が一致する場合は（例えば、デザイン画像ＤＧ２）、デザイン画像ＤＧは、デザイン画像ＤＧの短手方向が、デザインシートＳ２１の長手方向に沿うように横向きに表示される。
【００２３】
エリアＡ２１において、デザイン画像ＤＧのそれぞれの近傍には、各デザイン画像ＤＧと対応づけて４桁のデザイン番号ＤＢが表示されている。デザイン番号ＤＢは、デザイン画像ＤＧ（デザイン）を識別するための識別番号であり、デザイン画像ＤＧのそれぞれに一意に番号が割り振られている。
また、エリアＡ２１の上部には、画像Ｇ２１が表示されている。
画像Ｇ２１は、エリアＡ２１に表示されたデザイン画像ＤＧのコンセプトを示す情報を含んで構成されている。ここで、デザインシートＳ２は、ページごとに、表示されるデザイン画像ＤＧのデザインのコンセプトが異なっている。例えば、４ページ目に係るデザインシートＳ２１のデザイン画像ＤＧのデザインのコンセプト（以下、「第１コンセプト」という。）と、５ページ目に係るデザインシートＳ２２のデザイン画像ＤＧのデザインのコンセプト（以下、「第２コンセプト」という。）とは異なっており、デザインシートＳ２１の各デザイン画像ＤＧのデザインは全て第１コンセプトに基づくデザインとなっており、またデザインシートＳ２２の各デザイン画像ＤＧのデザイン画像ＤＧのデザインは全て第２コンセプトに基づくデザインとなっている。ここで、年賀状には、注文者との関係で立場の異なる人に送る場合がある、という特性があるが、年賀状を送る人の立場によって、年賀状の裏面のデザインのコンセプトを変更するのが一般的である。そして、上記構成によれば、ページごとに年賀状のデザインのコンセプトが異なっているため、注文者は、ページ単位で、コンセプトごとにまとめて年賀状のデザインを参照することができ、自身が望むコンセプトのデザインをより的確に見つけることが可能である。
【００２４】
デザインシートＳ２１において、エリアＡ２２には、エリアＡ２１に表示されているデザイン画像ＤＧのデザイナーに関する情報が表示される。
詳述すると、エリアＡ２２では、デザイン番号ＤＢと、デザイン番号ＤＢに対応するデザイン画像ＤＧのデザインに係るデザイナーの名前とが対応付けて表示される。デザイナーが、複数のデザイン画像ＤＧのデザインを担当している場合には、エリアＡ２２において、複数のデザイン番号ＤＢと、デザイナーの名前とが対応付けて表示される。また、エリアＡ２２において、デザイナーごとに、デザイナーのホームページのＵＲＬや、デザイナーの略歴等、デザイナーのことを知る上で有益な情報が表示される。
このように、エリアＡ２２にデザイナーの情報が表示されるため、注文者は、自身、又は、年賀状を送る相手に、好きなデザイナーがいる場合は、当該エリアを参照して、当該デザイナーのデザインを的確に見つけることが可能である。
５ページ目に係るデザインシートＳ２２、４ページ目に係るデザインシートＳ２１との比較で明らかなとおり、デザインシートＳ２２は、デザインシートＳ２１の構成と同様の構成を有している。同様に、各ページのデザインシートＳ２は、それぞれ同様の構成を有している。
【００２５】
図４は、１４ページ目の記入方法シートＳ３を示す図である。
図５は、１５ページ目の情報提供シートＳ４を示す図である。
図６は、１６ページ目（裏表紙）の申込シートＳ５を示す図である。
以下、申込シートＳ５の説明を行いつつ、適宜、記入方法シートＳ３、及び、情報提供シートＳ４の説明を行う。
図６に示すように、申込シートＳ５の上部には、画像Ｇ５１が表示されている。
画像Ｇ５１は、当該申込シートＳ５による年賀状の注文をＦＡＸで行うべきことを示す情報、及び、ＦＡＸを送信するときのＦＡＸ機に対する挿入方向を示す情報を含んで構成されている。
画像Ｇ５１の右方には、お問い合わせ番号欄Ｒ１が設けられている。お問い合わせ番号欄Ｒ１には、申込シートＳ５による年賀状の注文を識別するための注文識別情報ＴＪ（お問い合わせ番号）が事前に記入される。この注文識別情報ＴＪは、年賀状セレクト申込書１ごとに一意な値とされる。年賀状を注文者に提供するサービスを行う会社（以下、「年賀状サービス提供会社」という。）は、注文識別情報ＴＪと対応付けて注文を管理する。
【００２６】
画像Ｇ５１の下方には、お店記入欄Ｒ２が設けられている。
お店記入欄Ｒ２に設けられた各欄への記入は、年賀状セレクト申込書１が載置された店舗の従業員が記入する。例えば、店舗のレジの担当者が、お店記入欄Ｒ２の各欄への記入を行う。
お店記入欄Ｒ２の左上部には、注文を受け付けた日が記入される受付日欄Ｒ２１が設けられている。この受付日欄Ｒ２１の下方には、注文されたデザインの年賀状を注文者に渡すことが可能となる予定日が記入されるお渡し予定日欄Ｒ２２が設けられている。
お渡し予定日欄Ｒ２２の下方には、お客様ご連絡先欄Ｒ２３が設けられている。このお客様ご連絡先欄Ｒ２３には、注文者の名前、名前のフリナガ、電話番号、ＦＡＸ番号が記入される。
受付日欄Ｒ２１の右方には、料金メモ欄Ｒ２４が設けられている。この料金メモ欄Ｒ２４には、顧客の注文に対応する料金内訳、料金合計、支払いが完了しているか否かを示す情報が記入される。
料金メモ欄Ｒ２４の下方には、年賀状の注文を受け付けた店舗の名称が記入される受付店名欄Ｒ２５が設けられている。この受付店名欄Ｒ２５の右方には、得意先コード欄Ｒ２６が設けられている。得意先コード欄Ｒ２６には、店舗に割り振られたコードが記入される。コードは、年賀状サービス提供会社から、店舗に対して事前に通知される。
お店記入欄Ｒ２を形成する枠の色は、赤色である。
【００２７】
お店記入欄Ｒ２の下方には、お客様ご記入欄Ｒ３が設けられている。
お客様ご記入欄Ｒ３に設けられた各欄への記入は、年賀状の注文者が行う。
お客様ご記入欄Ｒ３には、５個ずつ２段に分けて、合計１０個の注文情報記入欄Ｒ３１が設けられている。注文情報記入欄Ｒ３１のそれぞれは、上部に、デザイン番号ＤＢを記入し、下部に注文枚数を記入可能な構成となっている。つまり、注文情報記入欄Ｒ３１のそれぞれについて、１つの欄の中に、デザイン番号ＤＢと、注文枚数とを対応付けて記入可能である。注文者は、デザインシートＳ２を参照して、注文する年賀状のデザインを決定すると共に、注文枚数を決定し、注文情報記入欄Ｒ３１に、対応するデザイン番号ＤＢ、及び、注文枚数を記入する。
【００２８】
ここで、注文情報記入欄Ｒ３１は、１０個、設けられている。従って、注文者は、１つの年賀状セレクト申込書１を利用して、最大１０種類のデザインの年賀状を同時に注文できる。上述したように、年賀状を送ろうとしている人の立場によって、年賀状の裏面のデザインのコンセプトを変更する、という年賀状の特性があるが、本実施形態に係る年賀状セレクト申込書１を利用すれば、このような年賀状の特性を踏まえ、注文者は、簡易に、複数種類のデザインの年賀状を、所望の枚数分、注文することが可能である。
また、上述したように、年賀状サービス提供会社は、注文識別情報ＴＪと対応付けて、年賀状セレクト申込書１によって行われた注文を管理する。そして、本実施形態では、注文者が注文可能なデザインの数の上限を１０種類としている。このため、１つの注文識別情報ＴＪと対応付けて管理される注文について、注文されたデザインの種類が不必要に多くなく、注文の管理が容易であり、注文された年賀状を店舗に届ける際の確認等の確実性が非常に高い。
【００２９】
お客様ご記入欄Ｒ３において、注文情報記入欄Ｒ３１の下方には、合計ご注文枚数欄Ｒ３２が設けられている。この合計ご注文枚数欄Ｒ３２には、各デザインの注文枚数を合計した合計注文枚数が記入される。ここで、本実施形態では、年賀状サービス提供会社は、１つの年賀状セレクト申込書１を利用した注文の合計注文枚数が、１０枚以上の場合に注文を受け付けている。そして、合計ご注文枚数欄Ｒ３２が設けられていることにより、注文者、及び、店舗の従業員は、合計注文枚数が１０枚以上か否かを的確に確認可能である。
【００３０】
ここで、図４に示すように、１４ページ目の記入方法シートＳ３では、お客様ご記入欄Ｒ３の記入方法、及び、記入の際の注意点が表示されている。特に、記入方法シートＳ３では、お客様ご記入欄Ｒ３に具体的な記入例が明示された上で、記入方法、及び、注意点が表示されている。
お客様ご記入欄Ｒ３は、注文者が注文に関する各種情報を記入すべき欄であるが、このように記入方法シートＳ３で記入方法、注意点、記入例が提供されるため、注文者は、的確にお客様ご記入欄Ｒ３に各種情報を記入可能である。
【００３１】
また、図５に示すように、１５ページ目の情報提供シートＳ４の右下部には、料金一覧ＲＬ（一覧表）が表示されている。本実施形態では、注文対象となる年賀状の単価は、全てのデザインで共通である。そして、この料金一覧ＲＬでは、１０枚から３０枚まで、注文枚数に応じた料金、及び、料金内訳が一覧表示される。
注文者は、申込シートＳ５のお客様ご記入欄Ｒ３の合計ご注文枚数欄Ｒ３２の記入に際し、情報提供シートＳ４の料金一覧ＲＬを参照することにより、自身の注文の料金を簡易かつ的確に把握可能である。
【００３２】
図６に示すように、お客様ご記入欄Ｒ３の下方には、左右方向に延びるキリトリ線が設けられている。また、お店記入欄Ｒ２、及び、お客様ご記入欄Ｒ３の右方には、上下方向に延びるキリトリ線が設けられている。キリトリ線に準じて、申込シートＳ５を切り取ることにより、お店記入欄Ｒ２、及び、お客様ご記入欄Ｒ３を含むシートを切り取ることが可能である。店舗の従業員は、切り取ったシートを、年賀状サービス提供会社に対してＦＡＸすることにより、注文者から受け付けた注文を、年賀状サービス提供会社に対して連絡する。このように、年賀状セレクト申込書１を利用して、店舗の担当者は、簡易に、年賀状サービス提供会社に注文を通知することができる。
【００３３】
図６に示すように、お客様ご記入欄Ｒ３の下方には、左右方向に延びるキリトリ線を介して、お客様商品引換券ＳＨが設けられている。
お客様商品引換券ＳＨには、注文者の名前を記入する欄、注文を受け付けた店舗の名称を記入する欄、上述した注文識別情報ＴＪを記入する欄、注文されたデザインの年賀状を注文者に渡すことが可能となる予定日を記入する欄、及び、店舗において、注文を受け付けた担当者の名前を記入する欄、が設けられている。
店舗において注文者から注文を受け付けた担当者は、お客様商品引換券ＳＨの各欄に対応する情報を記入した上で、キリトリ線に沿って、当該引換券を切り取り、注文者に当該引換券を引き渡す。注文者は、当該引換券に記入された予定日以降の日に、店舗に赴いて、従業員に引換券を引き渡すことにより、自身が注文した注文品を受け取ることができる。
お客様商品引換券ＳＨを形成する枠の色は、赤色である。
【００３４】
ここで、お店記入欄Ｒ２と、お客様商品引換券ＳＨの枠の色は、赤色である。一方、お客様ご記入欄Ｒ３の枠の色は、緑色である。すなわち、店舗の担当者が記入すべき欄の枠の色と、注文者が記入すべき欄の枠の色とが、異なる色で形成されている。このような構成のため、店舗の担当者、及び、注文者は、共に、自身が記入すべき欄を的確に把握可能である。
【００３５】
以上説明したように、本実施形態に係る年賀状セレクト申込書１は、干支を含む年賀に関する情報が記載された年賀状の各種デザイン（デザイン画像ＤＧ）を、デザイン番号ＤＢと共に表示したデザインシートＳ２を備えている。また、年賀状セレクト申込書１は、複数のデザイン番号ＤＢ及び各デザイン番号ＤＢに対応する注文枚数を記入する欄が形成されたお客様ご記入欄Ｒ３、及び、注文を識別する注文識別情報ＴＪを記入するお問い合わせ番号欄Ｒ１を有する申込シートＳ５を備えている。そして、年賀状セレクト申込書１は、申込シートＳ５のお客様ご記入欄Ｒ３への記入により、各種デザインの年賀状を、必要枚数だけ同時に注文できるように構成されている。
ここで、上述したように、年賀状は、年賀状の送信者との関係で様々な立場の人に同時期に送付するという特性がある。その場合、立場の異なる人には、異なるデザインの年賀状を送るのが一般的である。そして、本実施形態に係る年賀状セレクト申込書１を利用すれば、注文者は、複数のデザインの年賀状を、所望の枚数分、注文することが可能であるため、非常に便利である。すなわち、本実施形態に係る年賀状セレクト申込書１は、注文者にとって利便性の高い態様で年賀状を注文できる。
【００３６】
また、本実施形態では、申込シートＳ５の注文情報記入欄Ｒ３１において、デザイン番号ＤＢと、デザイン番号ＤＢに対応する注文枚数とは、同一の欄に対応づけて記入可能に構成されている。
この構成によれば、注文者は、デザイン番号ＤＢと、注文枚数との対応関係を間違うことなく記入可能である。
【００３７】
また、本実施形態では、お客様ご記入欄Ｒ３には、注文枚数の合計を記入する合計ご注文枚数欄Ｒ３２が形成されている。
この構成によれば、例えば、注文枚数に下限が設けられている場合に、注文者、及び、店舗の担当者は、注文者の注文に係る注文枚数が、注文枚数の下限を上回っているか否かを的確に把握可能である。
【００３８】
また、本実施形態では、申込シートＳ５は、少なくとも、注文の受付日、注文品の受渡予定日、注文者の連絡先、及び、注文品の料金を記入するお店記入欄Ｒ２をさらに有する。
この構成によれば、申込シートＳ５に、注文に関する情報と対応付けて、店舗の担当者が記入すべき情報を記入可能である。
【００３９】
また、本実施形態では、お客様ご記入欄Ｒ３を形成する枠の色と、お店記入欄Ｒ２を形成する枠の色とが異なっている。
つまり、店舗の担当者が記入すべき欄の枠の色と、注文者が記入すべき欄の枠の色とが、異なる色で形成されている。このような構成のため、店舗の担当者、及び、注文者は、共に、自身が記入すべき欄を的確に把握可能である。
【００４０】
また、本実施形態では、申込シートＳ５には、少なくとも、注文識別情報ＴＪを記入する欄が形成されたお客様商品引換券ＳＨが、当該シートから切り取り可能な態様で表示されている。
この構成によれば、店舗において注文者から注文を受け付けた担当者は、お客様商品引換券ＳＨの各欄に対応する情報を記入した上で、キリトリ線に沿って、当該引換券を切り取り、注文者に当該引換券を引き渡す。そして、注文者は、当該引換券に記入された予定日以降の日に、店舗に赴いて、従業員に引換券を引き渡すことにより、自身が注文した注文品を受け取ることができる。
【００４１】
また、本実施形態では、デザインシートＳ２では、デザインのコンセプトごとに、ページ単位で、年賀状のデザイン（デザイン画像ＤＧ）が表示されている。
ここで、年賀状には、注文者との関係で立場の異なる人に送る場合がある、という特性があるが、年賀状を送る人の立場によって、年賀状の裏面のデザインのコンセプトを変更するのが一般的である。そして、上記構成によれば、ページごとに年賀状のデザインのコンセプトが異なっているため、注文者は、ページ単位で、コンセプトごとにまとめて年賀状のデザインを参照することができ、自身が望むコンセプトのデザインをより的確に見つけることが可能である。
なお、コンセプトは、ページ単位で分かれている必要はなく、同一ページ内で、複数のコンセプトのデザイン画像ＤＧが、コンセプトごとに表示される構成であってもよく、複数のページにまたがって、同一のコンセプトのデザイン画像ＤＧが表示される構成であってもよい。
【００４２】
また、本実施形態では、お客様ご記入欄Ｒ３の記入例が記載された記入方法シートＳ３をさらに備える。
この構成によれば、注文者は、記入方法シートＳ３を参照して、的確に、お客様ご記入欄Ｒ３への記入を実行することができる。
【００４３】
また、本実施形態では、注文可能な年賀状の単価は同一であり、注文枚数と、注文枚数に応じた料金の一覧表が設けられている。
この構成によれば、注文者は、注文に係る料金を迅速に把握可能である。
【００４４】
なお、上述した実施の形態は、あくまでも本発明の一態様を示すものであり、本発明の範囲内で任意に変形および応用が可能である。
例えば、上述した実施形態では、年賀状セレクト申込書１は、冊子であったが、年賀状セレクト申込書１は、必ずしも冊子である必要はなく、例えば、デザインシートＳ２に対応する部位と、申込シートＳ５に対応する部位とを有する１枚のシートであってもよい。
【符号の説明】
【００４５】
１  年賀状セレクト申込書
Ｓ１  表表紙シート
Ｓ２  デザインシート
Ｓ３  記入方法シート
Ｓ４  情報提供シート
Ｓ５  申込シート
ＤＢ  デザイン番号
ＤＧ  デザイン画像
ＲＬ  料金一覧（一覧表）
ＳＨ  客様商品引換券
【図１】
0003187332.tif 000003
【図２】
0003187332.tif 000004
【図３】
0003187332.tif 000005
【図４】
0003187332.tif 000006
【図５】
0003187332.tif 000007
【図６】
0003187332.tif 000008